(57)【要約】  【課題】  本発明は、浴槽の跨ぎ高さを低くし、防水パンの床高さを低く抑えながらも、封水切れにより悪臭が広がる可能性をより低く抑える排水トラップを備えた浴室ユニットを提供することを目的とする。  【解決手段】  本発明は、洗い場排水口に接続され封水部を有する洗い場排水トラップと、上記洗い場排水口よりも低い位置に設けられた浴槽排水口に接続され封水部を有する浴槽排水トラップと、上記両トラップに接続され各封水部を通過した排水を移流させる接続配管とを備える浴室ユニットにおいて、上記各封水部間を接続し洗い場排水トラップの封水部から浴槽排水トラップの封水部へと排水移流を行う移流配管を備えた浴室ユニットである。  【選択図】  図７
2006283517.tif 000002
【特許請求の範囲】
【請求項１】
洗い場排水口に接続され封水部を有する洗い場排水トラップと、上記洗い場排水口よりも低い位置に設けられた浴槽排水口に接続され封水部を有する浴槽排水トラップと、上記両トラップに接続され各封水部を通過した排水を移流させる接続配管とを備える浴室ユニットにおいて、上記各封水部間を接続し洗い場排水トラップの封水部から浴槽排水トラップの封水部へと排水移流を行う移流配管を備えた浴室ユニット。
【請求項２】
洗い場排水口に接続され封水部を有する洗い場排水トラップと、上記洗い場排水口よりも低い位置に設けられた浴槽排水口に接続され封水部を有する浴槽排水トラップと、上記両トラップに接続され各封水部を通過した排水を移流させる接続配管とを備える浴室ユニットにおいて、上記両封水部が、隔壁を介して隣接し、この隔壁に貫通孔を設けた浴室ユニット。
【請求項３】
請求項２において、貫通孔が蓋を備え、この蓋に貫通孔を設けた浴室ユニット。
【請求項４】
請求項１乃至３のいずれかの浴室ユニットにおいて、浴槽排水トラップの排水流路が、この排水流路を狭める起立壁を備えた浴室ユニット。
【請求項５】
請求項１乃至４のいずれかにおいて、洗い場排水トラップの封水部と移流配管との接続高さ、又は、貫通孔の高さが、浴槽排水口よりも低い位置である浴室ユニット。
【請求項６】
請求項１乃至５のいずれかにおいて、洗い場排水トラップ及び浴槽排水トラップのトラップ底面が同一高さである浴室ユニット。
【発明の詳細な説明】
【技術分野】
【０００１】
本発明は、浴室ユニットに関する。
【背景技術】
【０００２】
浴室ユニットは、在来工法では日数のかかる浴室の工事を、短期間に行えるように、ユニット化した部材を組み立てて完成される浴室であり、近年の浴室では広く用いられている。
【０００３】
浴室ユニットでの排水構造は、浴室内に悪臭が逆流しないように排水トラップを使用することが一般的であり、この排水トラップの封水部にて空気の流れを遮断し、排水配管の下流より上流（浴室内）への臭い漏れを防止している。
【０００４】
図１は、従来用いられている浴室ユニットの排水構造を示すものであり、（ａ）は排水トラップの平面図であり、（ｂ）は（ａ）に示すＤ−Ｄ断面図に防水パンを付記したものである。防水パン１には、洗い場排水口２及び浴槽排水口３が設けられており、洗い場排水口２には洗い場にて発生した排水が流れ込み、浴槽排水口３には浴槽排水が流れ込む。
洗い場排水口２には、排水トラップ４が接続されており、この排水トラップ４は、排水が流れる下流に向かい逆勾配（登り勾配）となる封水壁５、及び、防臭筒６を有し、この封水壁５と防臭筒６とで封水部７を形成している。
また、浴槽排水口３には、排水エルボ８の一端が接続されており、他端が排水トラップ４の封水部７に接続されている。
封水部７は、封水壁５を乗り越えられなかった排水が貯留されており、この貯留排水により臭気を遮断して、浴室ユニット内に臭いが洩れないようにしている。
【０００５】
また、近年では、浴槽の跨ぎ高さを少しでも低くして高齢者にも使用しやすくした浴室ユニットが強く望まれており、このような浴室ユニットに対応する排水トラップも提案されている。具体的には、浴槽の跨ぎ高さを低くすることは、洗い場よりも低い浴槽載置場を設けることで可能となる。但し、この際、浴槽排水開口が洗い場排水開口よりも低くなるので、先に述べた図１に示す排水トラップを使用したのでは、洗い場にて発生した排水が逆流して浴槽に流れ込んでしまう。そこで、図２に示すような排水トラップの提案がなされている。
【０００６】
図２は、浴槽の跨ぎ高さを低くした浴室ユニットに用いられる排水トラップの概略上面図及び概略断面図である。ここで用いられている排水トラップは、防水パン１に設けられた洗い場排水口２に比べ、浴槽排水口３が低い位置に設けられているので、洗い場排水トラップ９及び浴槽排水トラップ１０の２つの独立したトラップを用いている。両トラップからの排水は、下流にて１つの配管に接続されるが、封水壁５を乗り越えるまでは別系統となっており、封水部も独立して有していることから、洗い場排水口２から洗い場排水トラップ９に流入した排水が、逆流して洗い場排水口２から流出することはない。
【０００７】
また、図２に示す排水トラップは、浴槽の跨ぎ高さを低くして使用者の使い勝手を良くしている以外に、浴槽排水トラップ１０の封水量を臭い漏れがないようにしながら少なくし、防水パン１の高さを低くすることも行われる。これは、防水パン１の床高さを低くすることで、浴室ユニット全体の高さを低くするもので、特に高層マンション等に設置する際に重要となる。即ち、高層マンションでは、同じ高さであっても、個々の階の高さを低くすることでより多くの階を生み出すことができるので、従来同様の天井高さを確保しながら、浴室ユニット全体としては、高さを低くすることができる排水トラップが多く使用される。
【特許文献１】特開２００４−２７８０９０
【発明の開示】
【発明が解決しようとする課題】
【０００８】
しかしながら、図２に使用される排水トラップは、防水パンの床高さを低くするために、浴槽排水トラップの封水量を少なくしていることが、大きな問題となる。即ち、高層マンション等の高い建築物に図２に示す排水トラップを用いると、排水時に建築物に設置された排水縦管内の圧力が著しく低下し、サイホン効果により排水トラップ内の水を引っ張り込み、封水切れ又は封水量の減少が起こる可能性が出てくる。そして、万一封水切れが起こると、悪臭が浴室ユニット内に充満することとなり、使用者に快感を与えるといった問題が発生する可能性が増してしまう。
【０００９】
本発明は、浴槽の跨ぎ高さを低くし、防水パンの床高さを低く抑えながらも、封水切れにより悪臭が広がる可能性をより低く抑える排水トラップを備えた浴室ユニットを提供することを目的とする。
【課題を解決するための手段】
【００１０】
（１）本発明は、洗い場排水口に接続され封水部を有する洗い場排水トラップと、上記洗い場排水口よりも低い位置に設けられた浴槽排水口に接続され封水部を有する浴槽排水トラップと、上記両トラップに接続され各封水部を通過した排水を移流させる接続配管とを備える浴室ユニットにおいて、上記各封水部間を接続し洗い場排水トラップの封水部から浴槽排水トラップの封水部へと排水移流を行う移流配管を備えた浴室ユニットである。
（２）本発明は、洗い場排水口に接続され封水部を有する洗い場排水トラップと、上記洗い場排水口よりも低い位置に設けられた浴槽排水口に接続され封水部を有する浴槽排水トラップと、上記両トラップに接続され各封水部を通過した排水を移流させる接続配管とを備える浴室ユニットにおいて、上記両封水部が、隔壁を介して隣接し、この隔壁に貫通孔を設けた浴室ユニットである。
（３）項（２）において、貫通孔が蓋を備え、この蓋に貫通孔を設けた浴室ユニット。
（４）項（１）乃至（３）のいずれかの浴室ユニットにおいて、浴槽排水トラップの排水流路が、この排水流路を狭める起立壁を備えた浴室ユニット。
（５）項（１）乃至（４）のいずれかにおいて、洗い場排水トラップの封水部と移流配管との接続高さ、又は、貫通孔の高さが、浴槽排水口よりも低い位置である浴室ユニット。
（６）項（１）乃至（５）のいずれかにおいて、洗い場排水トラップ及び浴槽排水トラップのトラップ底面が同一高さである浴室ユニット。
【発明の効果】
【００１１】
本発明によれば、浴槽排水口を洗い場排水口よりも低くすることで浴槽の跨ぎ高さを低くすることができ、また、排水トラップを洗い場排水と浴槽排水とで別々に設けることで排水の逆流を防ぎ、更に、浴槽排水トラップが、サイホン効果により一時的に封水切れを起こしたとしても、移流配管により洗い場排水トラップの封水部から浴槽排水トラップの封水部へと排水移流を行うことで、悪臭が浴室ユニット内に充満することはない。
隔壁を介して両封水部を隣接させた場合には、移流配管を設けることなく、隔壁に貫通孔を設けることにより排水移流を行わせることができ、より簡単な構造により封水切れの状態が継続することを阻止することができる。また、隔壁に貫通孔を設け、この貫通孔に蓋を設けた場合には、蓋に新たな貫通孔を設けることで、封水切れに対応することができ、蓋を取り外すことによりカンツール法等の配管清掃を行うことができる。更に、蓋に設けた貫通孔は、蓋を取り外す際の取り外し治具挿入孔としても利用することができ、狭い場所での作業をより行い易いものとすることができる。
排水流路に起立壁を設けた場合は、サイホン効果により封水部の排水が引っ張られることを緩和することができ、より封水切れが起こりにくくすることができる。
洗い場排水トラップの封水部と移流配管との接続高さ、又は、貫通孔の高さが、浴槽排水口よりも低い位置に設けられた浴室ユニットは、移流配管又は貫通孔を通り排水が逆流して浴槽内に入ることがなく、より衛生的に使用することができる。
洗い場排水トラップ及び浴槽排水トラップのトラップ底面を同一高さとした場合は、移流配管又は貫通孔を通り、排水を洗い場排水トラップから浴槽排水トラップへと移流させる際に、洗い場排水トラップに貯留される排水の全てを移流させてしまうことがなく、浴槽排水トラップばかりでなく、洗い場排水トラップの封水切れを阻止することもできる。
【発明を実施するための最良の形態】
【００１２】
本発明に用いる洗い場排水口は、洗い場にて発生する排水を排水させるものであり、その形状は特に限定されず、円形、四角形等の排水口を使用することができる。また、洗い場排水口には、目皿を使用して直接使用者の目に排水口が写らないようにしても良い。
【００１３】
本発明に用いる浴槽排水口は、浴槽内の水を排水するものであり、その形状は特に限定されず、円形、四角形等の排水口を使用することができる。また、浴槽排水口は、先に述べた洗い場排水口よりも低い位置に設けられるものであり、これにより浴槽の載置面を洗い場よりも低くし、結果として洗い場から浴槽へと移動する際の浴槽跨ぎ高さを低くすることができる。
【００１４】
本発明に用いる排水トラップは、洗い場排水口に接続される洗い場排水トラップと、浴槽排水口に接続される浴槽排水トラップとの、２つの独立した排水トラップを使用するものであり、各々の排水トラップに封水部を設けてある。封水部は、排水が溜まり、配管内の空気流れを遮断できるものであればよく、具体的には、下流に向かって逆勾配（下流に向かって上り勾配）となる封水壁を用いることで、封水部を形成することができる。また、排水口の直下に防臭筒を配置するようにしても良い。
【００１５】
本発明に用いる接続配管は、洗い場排水及び浴槽排水を流すものであり、排水トラップの封水部よりも下流にて両排水を合流させ、この合流した排水を流す。接続配管は、その形状、材質等限定されるものではなく、通常使用される排水配管を用いることができる。
【００１６】
本発明に用いる移流配管は、各封水部間を接続し、洗い場排水トラップの封水部から浴槽排水トラップの封水部へと排水移流を行うものであり、この移流は、自然流下により行われる。即ち、浴槽排水口は、洗い場排水口よりも低い位置に設けられているので、封水部の水面高さも浴槽排水トラップの封水部の方が低くなり、結果として、自然流下により排水の移流が行われる。
【００１７】
移流配管の位置は、封水液面以下に設置しなければならない。また、封水量が低下しても、封水移流を行えることができるように、できるだけトラップの底面付近に設置することが望ましい。
また、移流配管の管径は、両封水部の位置（隣接しているか・完全独立し、移流配管で接続されているか）で、変化するが、洗場より多量の排水が発生しても、浴槽排水口より、排水の溢れがなく、実使用で、ゴミ、汚れ等で塞がる可能性がない、貫通穴径、管長を設定すればよい。
【００１８】
本発明に用いる起立壁は、両封水部を独立されることができれば良いため、形状等を限定するものではない。
【実施例１】
【００１９】
以下、本発明の実施例について図面を用いて説明する。
図３は、本発明１実施例である浴室ユニットに用いる排水トラップの断面図である。この排水トラップは、浴槽排水トラップ１０と、洗い場排水トラップ９とが、隔壁１枚を隔てて並設してある。
洗い場排水トラップ９は、洗い場排水口２から流入する排水を貯留するもので、排水の流れる方向（下流）に向かい上り勾配となる封水壁５を設けて、全ての排水が一度に流下しないようにしている。
また、浴槽排水トラップ１０は、浴槽排水口３から流入する排水を貯留するもので、排水の流れる方向（下流）に向かい上り勾配となる封水壁５を設けて、全ての排水が一度に流下しないようにしている。
封水壁５は、洗い場排水トラップ９と、浴槽排水トラップ１０とで共通のものを使用しているが、この封水壁５とする底板に直立する仕切を設け、各々のトラップを独立させている。
洗い場排水トラップ９、及び、浴槽排水トラップ１０から流下した排水は、封水壁５を乗り越えた後に合流し、接続配管１１を経て排出される。
【００２０】
図４は、図３に示す排水トラップの断面図である。洗い場排水トラップ９は、封水部７の側壁に沿って浴槽排水トラップの排水流路が設けられており、この排水流路と封水部７とが隔壁１２により区切られている。
隔壁１２の側面には、直径３０ｍｍの円形の貫通孔１３が設けてあり、通常の浴室使用状態ではこの貫通孔１３に蓋１４が取付けられている。この蓋は、浴槽排水トラップの排水流路を清掃する際に外されるものであり、清掃後は再び貫通孔１３に蓋１４を取り付ける。
【００２１】
図５は、蓋の拡大図であり、（ａ）は正面図、（ｂ）は側面図を示す。蓋１４には、直径６ｍｍの円形の貫通孔１５が上下に２つ設けられており、蓋１４をした状態でも貫通孔１５を介して排水が、洗い場排水トラップから浴槽排水トラップへと移流し（図３参照）、浴槽排水トラップの封水切れを阻止することができる。
【００２２】
また、蓋１４は、ねじ込み式で図４に示す貫通孔１３に取付けているので、蓋１４の取付時に位置が分かりやすいように突起１６を設け、この突起１６を位置合わせに使用している。
更に、蓋１４は、洗い場排水トラップに貯留された排水と接する側の面に、治具挿入部１７を有し、この治具挿入部１７に治具を挿入することで、容易に取付・取り外しを行える。治具は、図６に示すようなものを使用することができ、先端に治具挿入部へと挿入する挿入部１９、後端に使用者が持つ持ち手２０を備えている。
蓋１４の取り外しは、図４に示す洗い場排水口２の目皿を取り外し、図５又は図６に示す治具１８の挿入部１９を治具挿入部１７に挿入し、持ち手２０を回転させることで行われる。また、蓋の取付は、蓋１４の取り外しと逆の手順にて行えばよいが、治具１８を使用せずに直接手で行うこともできる。
【００２３】
【表１】
2006283517.tif 000003
【００２４】
上記表１は、図３及び図４に示す排水トラップを用いて、洗い場から一時に１０リットルの水を排水する実験を行った結果を示したものである。蓋に設けた貫通孔の個数を２個とし、貫通孔の直径を３〜６ｍｍまで１ｍｍ毎に変化させたものと、蓋を取り外し直径３０ｍｍの貫通孔を設けたものとで比較し、浴槽排水口からの排水逆流の有無を調べた。
実験の結果、蓋に２個の孔を設けた場合には、全ての孔径において、浴槽内への逆流が見られなかったが、蓋を外し直径３０ｍｍの孔を設けたものは、水勢が強く、一時的に浴槽内への逆流が見られた。即ち、移流配管の直径又は貫通孔の直径は、３〜６ｍｍであることが好ましく、髪の毛詰まり等を考慮すると、５〜６ｍｍであることがより好ましい。
【実施例２】
【００２５】
図７は、本発明の別の１実施例である排水トラップの平面図である。この実施例では、洗い場排水口２からの排水を受ける洗い場排水トラップ９と、浴槽排水口３からの排水を受ける浴槽排水トラップ１０とを独立させ、各々に設けた封水壁を乗り越えた後に接続配管１１にて排水を合流させている。
また、浴槽排水口３は、洗い場排水口２よりも低い位置に設けてあるが、洗い場排水トラップ９及び浴槽排水トラップ１０のトラップ底面の高さは同じ高さとしている。
移流配管２１は、洗い場排水トラップ９の封水部（排水貯留部）と、浴槽排水トラップ１０の封水部（排水貯留部）とを接続する直径６ｍｍの配管である。
【００２６】
本実施例の排水トラップを用いた浴室ユニットは、サイホン効果により一時的に浴槽排水トラップ１０が封水切れを起こしても、移流配管２１により、洗い場排水トラップ９の封水部から浴槽排水トラップ１０の封水部へと排水移流が行われ、悪臭が浴室ユニット内に充満することはない。
また、洗い場排水トラップ９及び浴槽排水トラップ１０のトラップ底面の高さは同じ高さであるので、洗い場排水トラップ９に貯留されているは全排水が浴槽排水トラップ１０へと移流することがなく、洗い場排水トラップ９及び浴槽排水トラップ１０共に、封水切れを起こすことがない。
【図面の簡単な説明】
【００２７】
【図１】従来例を示す浴室ユニットの排水構造を示す概略断面図である。
【図２】従来例を示す排水トラップであり、（ａ）は排水トラップの概略上面図、（ｂ）は概略断面図である。
【図３】本発明の実施例である、排水トラップの概略断面図である。
【図４】図３に示す排水トラップの部分断面図である。
【図５】図４に示す蓋の拡大図であり、（ａ）は正面図、（ｂ）は側面図を示す。
【図６】図５に示す蓋を取り外す治具を示しており、（ａ）は側面図、（ｂ）は正面図を示す。
【図７】本発明の他の実施例を示す排水トラップの平面図である。
【符号の説明】
【００２８】
１…防水パン、２…洗い場排水口、３…浴槽排水口、４…排水トラップ、５…封水壁、６…防臭筒、７…封水部、８…排水エルボ、９…洗い場排水トラップ、１０…浴槽排水トラップ、１１…接続配管、１２…隔壁、１３…貫通孔、１４…蓋、１５…貫通孔、１６…突起、１７…治具挿入部、１８…治具、１９…挿入部、２０…持ち手、２１…移流配管
【図１】
2006283517.tif 000004
【図２】
2006283517.tif 000005
【図３】
2006283517.tif 000006
【図４】
2006283517.tif 000007
【図５】
2006283517.tif 000008
【図６】
2006283517.tif 000009
【図７】
2006283517.tif 000010